(57)【要約】【課題】遮光用ブラインドにおいて、ストリングと遮光膜の連結状態を堅固かつ安定的に維持できるようにする。【解決手段】遮光用ブラインドは、内部空間部２２が形成されている遮光膜２０と、遮光膜２０の内部空間部２２内に収容されている連結ストリング３０と、遮光膜２０の内部空間部２２を貫通し、連結ストリング３０の外周面を交差しながら包むように連結されている調節ストリング４０とを含んでおり、調節ストリング４０の引き操作によって連結ストリング３０を連動させて遮光膜２０の開閉状態を調節できるようになっている。【選択図】図３
2011179313.tif 000002
【特許請求の範囲】
【請求項１】
内部空間部（２２）が形成されている遮光膜（２０）と、
前記内部空間部（２２）内に収容されている連結ストリング（３０）と、
前記内部空間部（２２）を貫通し、前記連結ストリング（３０）と連結されている調節ストリング（４０）とを含み、
前記調節ストリング（４０）は、
複数本からなり、前記連結ストリング（３０）の外周面を交差しながら包むように連結され、前記調節ストリング（４０）の引き操作によって前記連結ストリング（３０）を連動させて前記遮光膜（２０）の開閉状態を調節できるようになっていることを特徴とする遮光用ブラインド。
【請求項２】
前記連結ストリング（３０）は、前記内部空間部（２２）内に上下方向に並んで複数個配置されていることを特徴とする請求項１に記載の遮光用ブラインド。
【請求項３】
前記調節ストリング（４０）は、第１調節ストリング（４２）と第２調節ストリング（４４）とからなり、前記連結ストリング（３０）の外周面を交差しながら包むように連結されていることを特徴とする請求項１又は２に記載の遮光用ブラインド。
【請求項４】
前記調節ストリング（４０）は、前記遮光膜（２０）の後方に位置していることを特徴とする請求項１に記載の遮光用ブラインド。
【請求項５】
前記内部空間部（２２）は、前記遮光膜（２０）を形成する多数の経糸が下側一領域で二方向に分離され、該多数の経糸の端部がまとめて製織されることによって形成されていることを特徴とする請求項１に記載の遮光用ブラインド。
【請求項６】
遮光膜（２０）に内部空間部（２２）を形成する段階（Ｓ１）と、
複数本の調節ストリング（４０）を前記内部空間部２２に供給する段階（Ｓ２）と、
前記内部空間部（２２）内に連結ストリング（３０）を供給する段階（Ｓ３）と、
前記調節ストリング（４０）が前記連結ストリング（３０）の外周面を交差しながら包むように製織を行う段階（Ｓ４）とを含むことを特徴とする遮光用ブラインドの製造方法。
【請求項７】
前記連結ストリング（３０）は、前記内部空間部（２２）内に上下方向に並んで複数本供給され、前記複数本の連結ストリング（３０）の各々の外周面を前記調節ストリング（４０）が交差しながら包むように製織が行われることを特徴とする請求項６に記載の遮光用ブラインドの製造方法。
【請求項８】
前記調節ストリング（４０）は、第１調節ストリング（４２）及び第２調節ストリング（４４）からなり、
前記複数本の連結ストリング（４０）のうちの１つである第１連結ストリング（４０）が前記第１調節ストリング（４２）の前方と前記第２調節ストリング（４４）の後方を順次通過した後、前記第１調節ストリング（４２）と前記第２調節ストリング（４４）が互いに交差され、前記第１連結ストリング（４０）に隣り合う他の１つの前記連結ストリング（４０）である第２連結ストリング（４０）が前記第２調節ストリング（４４）の後方と前記第１調節ストリング（４２）の前方を順次通過した後、前記第１調節ストリング（４２）と前記第２調節ストリング（４４）が互いに交差される過程を繰り返し経ることで製織が行われることを特徴とする請求項７に記載の遮光用ブラインドの製造方法。
【発明の詳細な説明】
【技術分野】
【０００１】
本発明は遮光用ブラインド及びその製造方法に関するものであり、さらに詳しくは、遮光膜を通じて光を選択的に遮断することができる遮光用ブラインド及びその製造方法に関するものである。
【背景技術】
【０００２】
一般的に、ブラインド（blind）は建物の窓や出口などに設けられて遮光機能を果たし、また、遮光機能の他に装飾性が加えられ、その形態がだんだん多様化されてきている。
【０００３】
このようなブラインドは、その開閉状態によって遮光の程度を調節できるようになっている。
【０００４】
従来の遮光用ブラインドは、遮光膜と、遮光膜に連結され、引き（ｐｕｌｌｉｎｇ）操作によって遮光膜を開閉させて遮光の程度を調節するストリング（Ｓｔｒｉｎｇ）とを有している。このような構造のブラインドが特許文献１及び２に開示されている。
【先行技術文献】
【特許文献】
【０００５】
【特許文献１】韓国登録特許第０９１１０５２号公報
【特許文献２】韓国登録特許第０９１２８６２号公報
【発明の概要】
【発明が解決しようとする課題】
【０００６】
上記のような遮光用ブラインドでは、ストリングの動作に遮光膜を連動させるためにストリングを遮光膜に密に製織するか、あるいはストリングを遮光膜に熱融着して連結させている。
【０００７】
しかし、ストリングを遮光膜に製織して連結させる場合、ストリングに過度な力が加えられると、ストリングと遮光膜の製織状態に問題が生じてストリングが抜けてしまい、ストリングを遮光膜に熱融着して連結させる場合も同様に、ストリングと遮光膜の融着面積が相対的に小さいため、過度な力が加えられるか、あるいは外部の温度変化によって、融着部位が外れ、ストリングが本来の機能を果たせなくなるという問題が生じる場合がある。
【０００８】
そして、ストリングが単糸からなっているため、過度な力が加えられるか、長時間使用すると、切れる可能性が高く、かつ、ストリングの連結部位が外部に露出されるので、見た目が良くない。
【０００９】
これは、結局、遮光用ブラインドの機能性及び使用性はもちろん、装飾性を低下させる結果を招いてしまう。
【００１０】
本発明は上記のような問題を解決するためになされたものであって、ストリングと遮光膜の連結状態を堅固かつ安定的に維持することはもちろん、その連結部位が外部に露出されない遮光用ブラインド及びその製造方法を提供することにその目的がある。
【課題を解決するための手段】
【００１１】
本発明による遮光用ブラインドは、内部空間部が形成されている遮光膜と、前記内部空間部内に収容されている連結ストリングと、前記内部空間部を貫通し、前記連結ストリングと連結されている調節ストリングとを含み、前記調節ストリングは、複数本からなり、前記連結ストリングの外周面を交差しながら包むように連結され、前記調節ストリングの引き（ｐｕｌｌｉｎｇ）操作によって前記連結ストリングを連動させて前記遮光膜の開閉状態を調節できるようになっていることをその技術的特徴とする。
【００１２】
前記連結ストリングは前記内部空間部内に上下方向に並んで複数個配置されていることが好ましい。
【００１３】
前記調節ストリングは第１調節ストリングと第２調節ストリングとからなり、前記連結ストリングの外周面を交差しながら包むように連結されていることが好ましい。
【００１４】
前記調節ストリングは前記遮光膜の後方に位置することが好ましい。
【００１５】
前記内部空間部は、前記遮光膜を形成する多数の経糸が下側一領域で二方向に分離され、該多数の経糸の端部がまとめて製織されることによって形成されていることが好ましい。
【００１６】
そして、本発明による遮光用ブラインドの製造方法は、遮光膜に内部空間部を形成する段階と、複数本の調節ストリングを前記内部空間部に供給する段階と、前記内部空間部内に連結ストリングを供給する段階と、前記調節ストリングが前記連結ストリングの外周面を交差しながら包むように製織を行う段階とを含むことにその技術的特徴がある。
【００１７】
前記連結ストリングは前記内部空間部内に上下方向に並んで複数本供給され、前記複数本の連結ストリングの各々の外周面を前記調節ストリングが交差しながら包むように製織が行われることが好ましい。
【００１８】
前記調節ストリングは第１調節ストリングと第２調節ストリングとからなり、前記複数個の連結ストリングのうちの一つである第１連結ストリングが前記第１調節ストリングの前方と前記第２調節ストリングの後方を順次通過した後、前記第１調節ストリングと前記第２調節ストリングが互いに交差され、前記第１連結ストリング隣り合う他の１つの前記連結ストリングである第２連結ストリングが前記第２調節ストリングの後方と前記第１調節ストリングの前方を順次通過した後、前記第１調節ストリングと前記第２調節ストリングが互いに交差される過程を繰り返し経ることで製織されることが好ましい。
【発明の効果】
【００１９】
本発明によると、調節ストリングが連結ストリングの外周面を交差しながら包む形態で連結ストリングに連結されることによって、その連結状態を相対的に堅固かつ安定的に維持させることができる。
【００２０】
特に、連結ストリングが複数個配置される場合、調節ストリングの連結状態を一層強化することができる。
【００２１】
そして、調節ストリングと連結ストリングの連結部位が遮光膜の内部空間部内に位置するとともに、調節ストリングが遮光膜の後方に位置することによって、遮光用ブラインドの外観を改善させることができる。
【００２２】
また、遮光用ブラインドの製造方法が簡便で、生産性及び経済性を向上させることができる。
【図面の簡単な説明】
【００２３】
【図１】本発明による遮光用ブラインドの斜視図である。
【図２】本発明による遮光用ブラインドの側面図である。
【図３】本発明による遮光用ブラインドの調節ストリング及び連結ストリングの連結構造を示した斜視図である。
【図４】本発明による遮光用ブラインドの調節ストリングが遮光膜の後方に設けられた状態を示した斜視図である。
【図５】図４の側面図である。
【図６】図４の作動状態図である。
【図７】本発明による遮光用ブラインドの製造方法を示した図である。
【図８】本発明による遮光用ブラインドの他の実施例を示した斜視図である。
【発明を実施するための最良の形態】
【００２４】
以下、添付の図面を参照して本発明の好ましい実施例について説明する。
【００２５】
図１乃至図３に示したように、本発明による遮光用ブラインド１０は、内部空間部２２が形成されている遮光膜２０と、遮光膜２０の内部空間部２２上に収容されている連結ストリング３０と、遮光膜２０の内部空間部２２を貫通し、連結ストリング３０と連結されている調節ストリング４０とを含んでいる。
【００２６】
遮光膜２０は織物からなり、外部の光を選択的に遮断する役割をする。
【００２７】
遮光膜２０は四角形状を有しており、上下方向に並んで複数個配置され、その開閉動作が可能なように、上端がメッシュ（ｍｅｓｈ）構造を有するメッシュ網５０に堅固に固定されている。
【００２８】
遮光膜２０の材質、個数及び配置形態などは必要に応じて適切に変更することができる。
【００２９】
そして、遮光膜２０に形成されている内部空間部２２は、調節ストリング４０の動作に連動する連結ストリング３０の外部への離脱を防止するためのものであって、遮光膜２０の下縁に沿って細長く形成されている。このような内部空間部２２は、遮光膜２０を形成する多数の経糸が下側一領域で二方向に分離され、それらの端部がまとめて遮光膜２０の緯糸と製織されることによって形成されており、もちろん、二方向に分けられた経糸にも、それぞれ、緯糸が密に製織されている。
【００３０】
また、内部空間部２２の形成方法は、遮光膜２０の下側を上方向に折り畳んだ状態で、その端部を製織などにより固定することによって形成したり、又は内部空間部を有する別途の織物を遮光膜の下端に連結して形成したりなど、必要に応じて多様な方法を選択的に適用することができる。
【００３１】
このように遮光膜２０に内部空間部２２が形成されることによって、遮光膜２０の重心を安定的に維持することができる上に、連結ストリング３０と調節ストリング４０の連結部位が外部に露出されることを防止して、ブラインド１０の全体的な外観を改善することができる。
【００３２】
連結ストリング３０は調節ストリング４０の動作に連動して、遮光膜２０の開閉動作を制御する役割をし、遮光膜２０の内部空間部２２に沿って配置されている。
【００３３】
このような連結ストリング３０は調節ストリング４０に対して直交するように配置されている。すなわち、連結ストリング３０は水平方向に配置されており、調節ストリング４０は垂直方向に配置されている。
【００３４】
そして、連結ストリング３０は調節ストリング４０との連結状態をさらに堅固かつ安定的に維持するために、遮光膜２０の内部空間部２２上に上下方向に並んで複数個配置されていることが好ましい。
【００３５】
一方、連結ストリング３０は、耐久性などといった物的特性に優れた材質からなり、連結ストリング３０としては、公知の多様な種類のものを選択的に適用することができる。
【００３６】
調節ストリング４０は第１調節ストリング４２と第２調節ストリング４４とからなり、連結ストリング３０の外周面を交差しながら包むように連結され、調節ストリング４０の引き（ｐｕｌｌｉｎｇ）操作によって連結ストリング３０を連動させ、すなわち上下方向に移動させ、それによって遮光膜２０の開閉状態を調節することができるようになっている。
【００３７】
このような調節ストリング４０が第１および第２調節ストリング４２，４４からなることは一例に過ぎず、調節ストリング４０の本数は連結ストリング３０との連結状態を緊密に維持できる範囲内で調節可能である。
【００３８】
そして、調節ストリング４０は遮光膜２０の前方に位置し、これにより、調節ストリング４０の引き操作時に連結ストリング３０によって遮光膜２０の下側が前方に持ち上げられる。また、図４乃至図６に示したように、調節ストリング４０が外部に露出されることを防止するために、調節ストリング４０をメッシュ網５０に取り付けられている遮光膜２０の後方に位置させる場合には、その引き操作時に連結ストリング３０によって遮光膜２０の下側が後方に巻き上げられる。
【００３９】
一方、符号６０及び７０は、ブラインド１０の上端に結合される調整ボックス、調整ボックスの側面に設けられ、ブラインド１０の開閉動作を制御する昇降コードをそれぞれ示したものである。
【００４０】
以上説明した遮光用ブラインドの動作過程を簡単に説明すると、以下の通りである。
【００４１】
まず、遮光膜２０が閉まっている状態で調節ストリング４０が引き操作されると、緊密に連結されている連結ストリング３０が連動して上方向に移動し、このように連結ストリング３０が上方向に移動することによって、遮光膜２０が下側から徐々に開放される。
【００４２】
逆に、遮光膜２０が開放されている状態で調節ストリング４０が引き操作されると、これと緊密に連結されている連結ストリング３０が連動して下方向に移動し、このように連結ストリング３０が下方向に移動することによって、遮光膜２０が徐々に閉められる。
【００４３】
このとき、連結ストリング３０は、遮光膜２０に一体に形成されている内部空間部２２内に収容されている状態を維持するので、その動きにより遮光膜２０を自然に開閉させることができる。
【００４４】
図７は、本発明による遮光用ブラインドの製造方法の段階を順に示した図である。
【００４５】
（１）第１段階（Ｓ１）：織物からなる遮光膜２０に内部空間部２２を形成する段階。
このとき、内部空間部２２は、遮光膜２０を形成する多数の経糸が下側一領域で二方向に分離された状態で、その端部が遮光膜２０の緯糸と製織されることによって形成される。また、二方向に分けられた経糸にも、それぞれ、緯糸が密に製織される。
【００４６】
（２）第２段階（Ｓ２）：複数本の調節ストリング４０を遮光膜２０の内部空間部２２に貫通するように供給する段階。
このとき、調節ストリング４０は第１調節ストリング４２及び第２調節ストリング４４からなり、第１、第２調節ストリング４２,４４は遮光膜２０の経糸方向（垂直方向）と同一の方向に供給される。
【００４７】
（３）第３段階（Ｓ３）：遮光膜２０の内部空間部２２上に連結ストリング３０を供給する段階。
このとき、連結ストリング３０は一定間隔を置いて並んで遮光膜２０の緯糸方向（水平方向）と同一の方向に複数本供給される。
【００４８】
（４）第４段階（Ｓ４）：調節ストリング４０が連結ストリング３０の外周面を交差しながら包むように遮光膜２０の内部空間部２２内で製織を行う段階。
この段階では、複数個の連結ストリング３０のうち、最上端に位置する１つが第１調節ストリング４２の前方と第２調節ストリング４４の後方を順次通過した後、第１調節ストリング４２と第２調節ストリング４４が互いに交差され、その下に隣り合って位置する他の１つの連結ストリング３０が第２調節ストリング４４の後方と第１調節ストリング４２の前方を順次通過した後、第１調節ストリング４２と第２調節ストリング４４が互いに交差され、このような過程を繰り返し経ることによって堅固に製織が行われる。
【００４９】
このように、調節ストリング４０と連結ストリング３０の連結構造によって、その連結状態を安定的に維持することができる。
【００５０】
一方、第１調節ストリング４２と第２調節ストリング４４の交差は特殊綜絖によってなされ、第１調節ストリング４２及び第２調節ストリング４４を最上端に位置する連結ストリング３０と結合する前に特殊綜絖によって予め一回交差させると、調節ストリング４０と連結ストリング３０の連結状態がさらに堅固になる。
【００５１】
一方、図８は本発明による遮光用ブラインドの他の実施例を示したものである。
【００５２】
図８に示したように、遮光用ブラインド１０は遮光膜２０が一定間隔で上下に配列され、遮光膜２０の両端に一対の調節ストリング４０ａ，４０bが緊密に連結されている。
【００５３】
この遮光用ブラインド１０は、一対の調節ストリング４０ａ，４０ｂを通じて遮光膜２０の開閉方向を調節することができるということ以外では、調節ストリング４０ａ，４０ｂの連結構造を含む他の技術的構成は図１乃至図３で説明した遮光用ブラインドと同様であるため、詳しい説明は省略する。
【符号の説明】
【００５４】
２０  遮光膜
２２  内部空間部
３０  連結ストリング
４０  調節ストリング
４２  第１調節ストリング
４４  第２調節ストリング
５０  メッシュ網
【図１】
2011179313.tif 000003
【図２】
2011179313.tif 000004
【図３】
2011179313.tif 000005
【図４】
2011179313.tif 000006
【図５】
2011179313.tif 000007
【図６】
2011179313.tif 000008
【図７】
2011179313.tif 000009
【図８】
2011179313.tif 000010